(57)【要約】      （修正有）【課題】使用者に正しく心肺蘇生法を行なう心肺蘇生救急器を提供する。【解決手段】柱脚受け台１と、柱脚受け台１の上面に設けられたバレル２と、バレル２の頂部側に緊密に固定された上部バレル３と、バレル２中のシリンダーセットと、上部バレル３及びシリンダーセットの下部シリンダーに接続するコントロール装置と、柱脚受け台１の下面に固定されるクランプフレーム１０と、上部バレル３の上面のトップカバー１１と、トップカバー１１の中央に位置するインフレータブルハンド１２と、インフレータブルハンド１２前側のバルブヘッド１３と、手押さえプレート９６上部のポインティングデバイス１５とからなる。上部バレル３とバレル２に設けられる２つのポンプと、底板からなるポンプグループセットが設けられ、ポンプグループセットとシリンダーセットの両端に片方向転換バルブが設けられる。【選択図】図１
0003164294.tif 000002
【実用新案登録請求の範囲】
【請求項１】
（Ａ）人体の寝そべっている上をまたがる置くことができるの柱脚受け台（１）、
（Ｂ）ネジで固定したの当該柱脚受け台（１）上の面のバレル（２）、当該バレル（２）中の底で1つ中心を位置しているのホール（２１）を設けられ、ホール（２１）2つの片側に通気穴（２３）を設け、および2つその通気穴（２３）に向かい合って設置しているの位置付けの溝（２４）が設けられ、そしてバレル（２）の底のへりに、フランジ（２２）を設けられ、頂のへりに、位置のリング溝（２５）が設けられ、
（Ｃ）詰まって固定したの当該バレル（２）、トップの上部バレル（３）、当該トップの上部バレル（３）中の底で中心をホール（３１）を設けられ、当該ホール（３１）の片側に2つの位置付けの穴（３２）を設け、反対側に内にの排気ガイド穴（３３）と外にの排気ガイド穴（３４）を設けられ、
（Ｄ）ポンプグループセット（４）当該ポンプグループセットは１つバレル（２）の上部の第1ポンプ（４１）と１つバレル（２）の中の底で設けられ、そうして一端が第1ポンプ（４1）底と接続したの第２ポンプ（４２）、
（Ｅ）当該第1ポンプ（４１）と第２ポンプ（４２）接続したどころの接続プレート（４３）、および第２ポンプ（４２）底にある設けられてあるの底板（４４）から構成し、当該第1ポンプ（４１）と第２ポンプ（４２）はすべて1つの位置付けプレート（４１１、４２1）、1つの密封したボード（４１４、４２４）、1つ位置付けプレート（４１１、４２１）と密封したボード（４１４、４２4）間の伸縮の内膜（４１２、４２２）および1つの伸縮の内膜（４１２、４２２）外側の伸縮の外膜（４１３、４２３）  から構成し、しかしどちらも逆に設置を呈するため、第1ポンプ（４１）は位置付けプレート（４１１）から順番に密封したボードに詰め込まれ、第２ポンプ（４２）は位置付けプレート（４２１）から順番に密封したボードに詰め込まれ、
（Ｆ）バレル（２）中のシリンダーセット（５）、当該シリンダーセット（５）は１つバレル（２）中のトップで設けられ、そして第1ポンプ（４１）外の上部シリンダー（５1）にかぶせてを設けられ、１つバレル（２）中の底で設けられ、そして第２ポンプ（４２）外の下部シリンダー（５２）にかぶせてを設けられ、おうおび１つの下部シリンダー（５２）に接続し、そして下部シリンダー（５２）中の空気を導き出したのエア配管（５３）から構成し、
（Ｇ）ポンプグループセット（４）とシリンダーセット（５）間にその両者の接触のを避けられるパーテーション？シリンダー（６）を設けられ、当該パーテーション？シリンダー（６）のトップに１つトップの上部バレル（３）と位置付けプレート（４１１）間に位置決めフランジ（６１）を設けられ、当該フランジ（６1）の一側にバルブガイド穴（６２）を設けられ、反対側に排気ガイド穴（６３）を設けられ、？側にスロット（６4）を設けられ、
（Ｈ）コントロール装置（７）、当該コントロール装置（７）は上部バレル（３）内の片側、と下部シリンダー（５２）に接続し、そしてその中の気体を1角度に回転すした後に導き出しましたの第一エアガイドブロック（７１）が設けられ、
（Ｉ）第一エアガイドブロック（７１）と、反対側向くの形で設置、上部シリンダー（５1）と接続した、そしてその中の空気を導き出したの第二エアガイドブロック（７２）、
（Ｊ）第一エアガイドブロック（７１）の中、そして上部シリンダー（５1）の出力してあるかと、中の空を制御することができの第一エアガイドパイプ（７３）が設けられ、
（Ｋ）第二エアガイドブロック（７２）、そして下部シリンダー（５２）の出力してあるかと、そして、一端が第一エアガイドブロック（７１）と繋ぎ、中の空の第二エアガイドパイプ（７４）、
（Ｌ）第一エアガイドパイプ（７３）と第二エアガイドパイプ（７４）間のパイプ,ギア（７５）が設けられ、
（Ｍ）第二エアガイドパイプ（７４）とパイプギア（７５）間のエアガイド回転車輪（７６）が設けられ、
（Ｎ）パイプギア（７５）の一側に、そしてパイプギア（７５）回転のリバウンド止めピース（７７）が設けられ、
（Ｏ）パイプ,ギア（７５）の反対側にパイプギア（７５）と垂直して、そしてエアガイド回転車輪（７６）を導くして動かすことができるの第一電気伝導ピース（７８）が設けられ、
（Ｐ）第一電気伝導ピース（７８）と相対的、平行して順列で呈しているパイプギア（７５）と遠く離れてを設置しているの第二電気伝導ピース（７９）から構成され、数はそれぞれをポンプグループセット（４）とシリンダーセット（５）兩端の片道方向転換バルブ（８）が設けられて、エアポンプグループ(4) とシリンダーセット（５）の進むこと、排気ことを制御されるを供え、
（Ｑ）シャフトは、上記の柱脚受け台（1）、バレル（２）、上部バレル（３）、エアポンプグループセット（４）、シリンダーセット（５）、およびパーテーション？シリンダー（６）の中心を軸で位置しているの圧力軸支柱バー（９）に設けられ、当該圧力軸支柱バー（９）は１つ柱脚受け台（1）底側に設けられて、人間の身体に接触、柔軟なバッファプレート（９1）トップにの底の圧力軸支柱バー（９２）、
（Ｒ）ネジで固定したの底の圧力軸支柱バー（９２）トップにの中間の圧力軸支柱バー（９３）、
（Ｓ）詰めで固定したの中間の圧力軸支柱バー（９３）トップにのコネクタ継ぎ目（９４）、1つネジで固定したのコネクタ継ぎ目（９４）トップにのトップ圧力軸支柱バー（９５）、および1つ固定で設けしたの圧力軸支柱バー（９５）トップの手押さえプレートから構成され、
（Ｔ）固定したの当該柱脚受け台（１）下の面に人体上に位置付けられるのを供えることができのクランプフレーム（１０）、
（Ｕ）上部バレル（３）上の面、そして閉鎖されられるのを位置しているの、ト
ップカバー（１１）、
（Ｖ）トップカバー（１１）中央の片側を位置しているの、インフレータブルハんド（１２）、このインフレータブルハんド（１２）はＴ形を呈して、そして突出の末端（１２１１）があって、そして別の一側は手押さえプレート（９６）と連結したのハンドル（１２１）があり、
（Ｗ）それぞれハンドル（１２１）の底側で設けるのスプリング（１２２）であり、
（Ｘ）ハンドル（１２１）の下部の一側で設けられ、そして、ハンドル（１２１）を跳ね飛ぶを防ぐためのブロックリング（１２３）が設けられ、および1つハンドル（１２１）の反対側の下部にある、そして、エアガイド回転車輪（７６）アクションのコントロールすることができのフックブロック（１２４）から構成され、
（Ｙ）インフレータブルハンド（１２）前側に、インフレータブルハンド（１２）により駆動されられる、そして酸素供給装置（１７）と連結したのを位置しているエアコンを貯蓄、の酸素のバルブヘッド（１３）、
（Ｚ）第1のエア伝導ブロック（７１）と第２のエア伝導ブロック（７２）間に固定したの息吹く用ヘッド（１４）、この息吹く用ヘッド（１４）はL形を呈して、上部に、ある酸素入り口（１４１１）は、酸素ガイドのバルブヘッド（１３）と接続されるの混気室（１４１）が設けられてある。1つ混気室（１４１）と第1のエア伝導ブロック（７１）連結したの一端の左單向導流閥（１４３）が設けられ、および1つ混気室（１４１）と第２のエア伝導ブロック（７２）連結した設定されるの一端の左單向導流閥（１４３）と相対的にされたの右單向導流閥（１４４）から構成され、および1つ手押さえプレート（９６）上部に位置しているのポインティングデバイス（１５）、このポインティングデバイス（１５）は1つのコントロール装置（７）と電気コネクタ、および下にの圧力のアクセス数を表示できのＬＥＤのデジタルディスプレイ（１５１）であり、
（ａ）ＬＥＤのデジタルディスプレイ（１５１）の一端に位置している、そして、人間の音声は、スピーカの大く放出することができ人体マイク（１５２）と電気コネクタをして、人間の音声を収集することができの録音機器（１５３）から構成され、
（ｂ）当該第一エアガイドパイプ（７３）は排気口（７３１）と空気取り入れ口（７３２）が設けられ、2つとの間は一直角の角度に設定され、当該第二エアガイドパイプ（７４）は排気口（７４１）と空気取り入れ口（７４２）が設けられ、２つとの間は一直角の角度に設定され、しかし、第一エアガイドパイプ（７３）にアクセスした後、この第一エアガイドパイプ（７３）の排気口（７３１）と空気取り入れ口（７３２）をパイプギア（７５）の歯度の角度と一違いであり、
（ｃ）当該パイプギア（７５）は３２齒の設定で、しかしその1側には幅２歯のギャップ
（７５１）に設定されているため、実際には３０の歯があり、
（ｄ）当該エアガイド回転車輪（７６）は相対的なパイプギア（７５）でギャップ（７５１）の1側に設定されてある、パイプギア（７５）とギア同じの2つのガイドギア（７６１）が設定され、
以上からなる心肺蘇生救急器（１００）。
【考案の詳細な説明】
【技術分野】
【０００１】
本考案は心肺蘇生救急器に関する。
【背景技術】
【０００２】
心肺蘇生法 (ＣＰＲ/Ｃａｒｄｉｏ Ｐｕｌｍｏｎａｒｙ ｅｓｕｓｃｉｔａｔｉｏｎ) は、人工呼吸と心臓マッサージを結び付けるので、生命の緊急の患者に対して応急手当をとっての方式に関してる。
目的は、緊急な状況の下で、体の血液循環を維持し、脳部などの重要な器官の傷つけることを減らす。脳部は酸欠の４〜６分の後で、損で受け始め、いかなる応急手当を
１０分間まで受け入れてないなんら、脳死状態になる。
使用のタイミングには、心臓病突発、窒息、溺死、感電を参照し、アレルギー反応、薬物の中毒などが急死の状況をもたらす時。急死時に、心臓を回復することを脈打ってと呼吸の機能を与えての方法であて、主に予想外突発性の死亡を防ぐを中心にである。癌の腫れている末期しかも回復することができない、癌の腫れている末期しかも回復することができない疾患に対して決して適用できません。
そのため医療関係者は、救急隊あるいは救急車の到着まで、途切れることなく十分に時間を運用して、急死者に応急手当を行うことが重要です。
心肺停止を確認（反応がなく、呼吸がない）した後に行う胸骨圧迫（心臓マッサージ）と人工呼吸の組み合わせのこと。心肺蘇生は、救急隊の到着まで、途切れることなく行うことが重要です。
新版の心肺蘇生法（ＣＰＲ）の簡易救急口訣に、呼ぶ、呼ぶ、ＡＢＣ、意味は以下のとおり。
呼ぶ、 (患者をそっと叫びる)−意識の状態を確認していること。
呼ぶ、(１１９番呼び出す)−に救護システムをスタートさせます。
Ａ（Ａｉｒｗａｙ）−は気道の流暢度を維持する−額におさえ顎を上げるように
Ｂ（Ｂｒｅａｔｈｉｎｇ）−は人工呼吸を２度をする。
Ｃ（Ｃｉｒｃｕｌａｔｉｏｎ）−は心臓マッサージ３０回をする。
ただし、心肺蘇生法（ＣＰＲ）動悸が停止する時、緊急措置においてで命を救うこと、応急手当のプライムタイムを延長させられることができるですが、しかしすべての人が正確に正しい心肺蘇生法（ＣＰＲ）の動作を行うことができるわけがない。更に救急患者さんにの２サブ害をもたらすかもしれない。
このような従来の課題に鑑みなされたもので、考案の人は以下かつて３つの特許ケースを次のように出している。
特許文献１、米国の特許５８２３１８５号、１９９７年４月４日に、提出である。
特許文献２、米国の特許ＵＳ６３９７８４３Ｂ１号、２０００年２月１７日に、提出である。
特許文献３、米国の特許ＵＳ７２１９６６７Ｂ２号、２００４年年１２月１７日に提出である。
上記の３種の心肺蘇生救急器は応急手当機に蘇って、心肺蘇生法（ＣＰＲ）の動作の正しくない欠点を解決してができる。
【先行技術文献】
【特許文献】
【０００３】
【特許文献１】米国の特許５８２３１８５号
【特許文献２】米国の特許ＵＳ６３９７８４３Ｂ１号
【特許文献３】米国の特許ＵＳ７２１９６６７Ｂ２号
【考案の概要】
【考案が解決しようとする課題】
【０００４】
上述の特許の文献の１、２、３は下記の問題の点が存在している。
（１）前記特許の文献の１、２、３の中で、その３つの特許ケース、すべて前の特許ケースの不足なところ対応して、改良を行なわれるですが、しかし最大の問題は、２００６年の時のため、心肺蘇生法（ＣＰＲ）に対して、さらなる改良を行って、蘇生法の成功率を高められるよう。この３種類の心肺蘇生救急器は、もとのままな版の心肺蘇生法（ＣＰＲ）によてで研究し開発設計したものである、そのため、古いＣＰＲ救急器は、新しいバージョンに、既存の心肺蘇生法（ＣＰＲ）の規格には合わなくなる。
このような鑑みなされて、どのように心肺蘇生救急器に、新しいバージョンに、既存の心肺蘇生法（ＣＰＲ）の規格に合わせられることが、本考案の解決しようとする課題と目的の１つになる。
（２）前記特許の文献の１、２、３中の心肺蘇生救急器は、その体積は比較的に巨大で、しかも全体の構造も比較的に複雑で、効率も比較的に低くて、使用と生産の製造方面に、ある程度の難度がある。
このような鑑みなされて、どのように心肺蘇生救急器に、更に便利に使わせると製造させられることができるが、本考案の解決しようとする課題と目的の２つになる。
【０００５】
本考案は、上述の課題を解決し得る心肺蘇生救急器を提供すること、を目的とする。
【課題を解決するための手段】
【０００６】
上記の課題を解決するために、本考案の心肺蘇生救急器は次のような特徴を備える。
１つは、人体の寝そべっている上をまたがる置くことができるの柱脚受け台（１）、    
1つは、ネジで固定したの当該柱脚受け台（１）上の面のバレル（２）、
1つは、詰まって固定したの当該バレル（２）、トップの上部バレル（３）、
1つは、エアポンプグループセット（４）、
1つは、バレル（２）、中に位置しているのシリンダーセット（５）、
1つは、エアポンプグループセット（４）とシリンダーセット（５）の間に、両者の
接触を避けられるを位置しているのパーテーション？シリンダー（６）、
1つは、コントロール装置（７）、
複数のエアポンプグループセット（４）とシリンダーセット（５）の両端にそれぞれを位置しているの片道スロットルバルブ（８）、
1つシャフトは、前記の柱脚受け台（１）、バレル（２）、上部バレル（３）、エアポンプグループセット（４）、シリンダーセット（５）、およびパーテーション？シリンダー（６）の中心を軸で位置しているの圧力軸支柱バー（９）、
２つは、固定したの当該柱脚受け台（１）下の面に人体上に位置付けられるのを供えることができのクランプフレーム（１０）、
1つは、上部バレル（３）上の面、そして閉鎖されられるのを位置しているの、ト
ップカバー（１１）、
1つは、トップカバー（１１）中央の片側を位置しているの、インフレータブルハ
んド（１２）、
1つは、インフレータブルハンド（１２）前側に、インフレータブルハンド（１２）により駆動されられる、そして酸素供給装置（１７）と連結したのを位置しているエアコンを貯蓄、の酸素のバルブヘッド（１３）、
1つは、第1のエア伝導ブロック（７１）と第２のエア伝導ブロック（７２）間に固定したの息吹く用ヘッド（１４）、および
1つは、ハンドプラテン圧盤（９６）上部を位置しているの、ポインティングデバイス（１５）。
上記の圧力軸支柱バー（９）を通して、エアポンプグループセット（４）に対して加圧させられて、またはシリンダーセット（５）に対して、エアコンを貯蓄されること、そして同時に患者に心臓マッサージをさせられること。マッサージの回数が足りた後に、更にインフレータブルハンド（１２）によってシリンダーセット（５）に対しているのエアコン貯蓄を、酸素のバルブヘッド（１３）の導入した酸素と合わせて、患者さんに混合したの空気を吹いて入って、このをしいて患者さんに対して正しい心肺蘇生法（ＣＰＲ）を完成されることである。
【０００７】
本考案の請求項１に係る心肺蘇生救急器は次のような特徴を備える。
１つは、人体の寝そべっている上をまたがる置くことができるの柱脚受け台（１）、    
1つは、ネジで固定したの当該柱脚受け台（１）上の面のバレル（２）、当該バレル（２）中の底で1つ中心を位置しているのホール（２１）を設けられて、ホール（２１）2つの片側に通気穴（２３）を設けて、および2つその通気穴（２３）に向かい合って設置しているの位置付けの溝（２４）が設けている。そしてバレル（２）の底のへりに、フランジ（２２）を設けられて、頂のへりに、位置のリング溝（２５）が設けている。
1つは、詰まって固定したの当該バレル（２）、トップの上部バレル（３）、当該
トップの上部バレル（３）中の底で中心をホール（３１）を設けられて、当該
ホール（３１）の片側に2つの位置付けの穴（３２）を設けて、反対側に内にの
排気ガイド穴（３３）と外にの排気ガイド穴（３４）を設けられてある。
1つは、ポンプグループセット（４）当該ポンプグループセットは１つバレル（２）
の上部の第1ポンプ（４１）と１つバレル（２）の中の底で設けられいるのをから
である。そうして一端が第1ポンプ（４1）底と接続したの第２ポンプ（４２）。
1つは、当該第1ポンプ（４１）と第２ポンプ（４２）接続したどころの接続プレート（４３）、および第２ポンプ（４２）底にある設けられてあるの底板（４４）から構成した。当該第1ポンプ（４１）と第２ポンプ（４２）はすべて1つの位置付けプレート（４１１、４２1）、1つの密封したボード（４１４、４２４）、1つ位置付けプレート（４１１、４２１）と密封したボード（４１４、４２4）間の伸縮の内膜（４１２、４２２）および1つの伸縮の内膜（４１２、４２２）外側の伸縮の外膜（４１３、４２３）  から構成したである。しかしどちらも逆に設置を呈するため、第1ポンプ（４１）は位置付けプレート（４１１）から順番に密封したボードに詰め込まれて、第２ポンプ（４２）は位置付けプレート（４２１）から順番に密封したボードに詰め込まれる。
１つバレル（２）中のシリンダーセット（５）、当該シリンダーセット（５）は１つバレル（２）中のトップで設けられいる、そして第1ポンプ（４１）外の上部シリンダー（５1）にかぶせてを設けられてある。１つバレル（２）中の底で設けられいる、そして第２ポンプ（４２）外の下部シリンダー（５２）にかぶせてを設けられてある。おうおび１つの下部シリンダー（５２）に接続した。そして下部シリンダー（５２）中の空気を導き出したのエア配管（５３）から構成した。
１つポンプグループセット（４）とシリンダーセット（５）間にその両者の接触のを避けられるパーテーション？シリンダー（６）を設けられてある、当該パーテーション？シリンダー（６）のトップに１つトップの上部バレル（３）と位置付けプレート（４１１）間に位置決めフランジ（６１）を設けられてある、当該フランジ（６1）の一側にバルブガイド穴（６２）を設けられてある、反対側に排気ガイド穴（６３）を設けられてある、？側にスロット（６4）を設けられてある。
１つコントロール装置（７）、当該コントロール装置（７）は上部バレル（３）内の片側、と下部シリンダー（５２）に接続した、そしてその中の気体を1角度に回転すした後に導き出しましたの第一エアガイドブロック（７１）が設けられてある。
１つ第一エアガイドブロック（７１）と、反対側向くの形で設置、上部シリンダー（５1）と接続した、そしてその中の空気を導き出したの第二エアガイドブロック
（７２）。１つ第一エアガイドブロック（７１）の中、そして上部シリンダー（５1）
の出力してあるかと、中の空を制御することができの第一エアガイドパイプ（７３）
が設けられてある。１つ第二エアガイドブロック（７２）、そして下部シリンダー（５２）の出力してあるかと、そして、一端が第一エアガイドブロック（７１）と
繋ぎ、中の空の第二エアガイドパイプ（７４）。１つ第一エアガイドパイプ（７３）と第二エアガイドパイプ（７４）間のパイプ,ギア（７５）が設けられてある。１つ第二エアガイドパイプ（７４）とパイプギア（７５）間のエアガイド回転車輪（７６）が設けられてある。１つパイプギア（７５）の一側に、そしてパイプギア（７５）回転のリバウンド止めピース（７７）が設けられてある。１つパイプ,ギア（７５）の反対側にパイプギア（７５）と垂直して、そしてエアガイド回転車輪（７６）を導くして動かすことができるの第一電気伝導ピース（７８）が設けられてある。および１つ第一電気伝導ピース（７８）と相対的、平行して順列で呈しているパイプギア（７５）と遠く離れてを設置しているの第二電気伝導ピース（７９）から構成された。
数はそれぞれをポンプグループセット（４）とシリンダーセット（５）兩端の片道方向転換バルブ（８）が設けられて、エアポンプグループ(4) とシリンダーセット（５）の進むこと、排気ことを制御されるを供える。
１つシャフトは、上記の柱脚受け台（1）、バレル（２）、上部バレル（３）、エアポンプグループセット（４）、シリンダーセット（５）、およびパーテーション？シリンダー（６）の中心を軸で位置しているの圧力軸支柱バー（９）に設けられてある。当該圧力軸支柱バー（９）は１つ柱脚受け台（1）底側に設けられて、人間の身体に接触、柔軟なバッファプレート（９1）トップにの底の圧力軸支柱バー（９２）。
1つネジで固定したの底の圧力軸支柱バー（９２）トップにの中間の圧力軸支柱バー（９３）。1つ詰めで固定したの中間の圧力軸支柱バー（９３）トップにのコネクタ継ぎ目（９４）、1つネジで固定したのコネクタ継ぎ目（９４）トップにのトップ圧力軸支柱バー（９５）、および1つ固定で設けしたの圧力軸支柱バー（９５）トップの手押さえプレートから構成された。
２つは、固定したの当該柱脚受け台（１）下の面に人体上に位置付けられるのを供えることができのクランプフレーム（１０）。
1つは、上部バレル（３）上の面、そして閉鎖されられるのを位置しているの、ト
ップカバー（１１）。
1つは、トップカバー（１１）中央の片側を位置しているの、インフレータブルハ
んド（１２）、このインフレータブルハんド（１２）はＴ形を呈して、そして突出の末端（１２１１）があって、そして別の一側は手押さえプレート（９６）と連結したのハンドル（１２１）がある。２つそれぞれハンドル（１２１）の底側で設けるのスプリング（１２２）である。1つハンドル（１２１）の下部の一側で設けられ、そして、ハンドル（１２１）を跳ね飛ぶを防ぐためのブロックリング（１２３）が設けられある。および1つハンドル（１２１）の反対側の下部にある、そして、エアガイド回転車輪（７６）アクションのコントロールすることができのフックブロック（１２４）から構成された。
1つは、インフレータブルハンド（１２）前側に、インフレータブルハンド（１２）により駆動されられる、そして酸素供給装置（１７）と連結したのを位置しているエアコンを貯蓄、の酸素のバルブヘッド（１３）。
1つは、第1のエア伝導ブロック（７１）と第２のエア伝導ブロック（７２）間に固定したの息吹く用ヘッド（１４）、この息吹く用ヘッド（１４）はL形を呈して、上部に、ある酸素入り口（１４１１）は、酸素ガイドのバルブヘッド（１３）と接続されるの混気室（１４１）が設けられてある。1つ混気室（１４１）と第1のエア伝導ブロック（７１）連結したの一端の左單向導流閥（１４３）が設けられてある。
および1つ混気室（１４１）と第２のエア伝導ブロック（７２）連結した設定されるの一端の左單向導流閥（１４３）と相対的にされたの右單向導流閥（１４４）から構成された。および
1つ手押さえプレート（９６）上部に位置しているのポインティングデバイス（１５）、このポインティングデバイス（１５）は1つのコントロール装置（７）と電気コネクタ、および下にの圧力のアクセス数を表示できのＬＥＤのデジタルディスプレイ（１５１）である。また、1つはＬＥＤのデジタルディスプレイ（１５１）の一端に位置している、そして、人間の音声は、スピーカの大く放出することができ人体マイク（１５２）と電気コネクタをして、人間の音声を収集することができの録音機器（１５３）から構成された。
当該第一エアガイドパイプ（７３）は排気口（７３１）と空気取り入れ口（７３２）が設けられてある。2つとの間は一直角の角度に設定されている。
当該第二エアガイドパイプ（７４）は排気口（７４１）と空気取り入れ口（７４２）
が設けられてある。２つとの間は一直角の角度に設定されている。しかし、第一エアガイドパイプ（７３）にアクセスした後、この第一エアガイドパイプ（７３）の排気口（７３１）と空気取り入れ口（７３２）をパイプギア（７５）の歯度の角度と一違いである。
当該パイプギア（７５）は３２齒の設定で、しかしその1側には幅２歯のギャップ
（７５１）に設定されているため、実際には３０の歯がある。
当該エアガイド回転車輪（７６）は相対的なパイプギア（７５）でギャップ（７５１）の1側に設定されてある、パイプギア（７５）とギア同じの2つのガイドギア（７６１）が設定されてある。
【考案の効果】
【０００８】
本考案は、上記の構成により、次のような効果を奏する。すなわち、
本考案の特徴1は、この設置を通して、使用者に３０回押さえ付けた後で、使用者に対して息を吹くことができる、そして下への圧力により、第1のエアポンプ（４１）、第２のエアポンプ（４２）を通して、上１５、下１５での動作の中で、上のシリンダー（５１）および下のシリンダー（５２）に、加圧して空気を蓄えて、毎分間を効果的な活用して力を行なわれて、十分な吹くの圧力を提供して、二度の吹く量を提供して、ひとまとまりの設備の中で、新版の心肺蘇生法（ＣＰＲ）のすべての動作を完成させられることで、新版の心肺蘇生法（ＣＰＲ）の規格に合ってる。
本考案の特徴の２は、全体のデバイスは、電気、空気圧で動きの設置されていない、ただ手動で使うことができる。しかもそれらのポンプ、シリンダー空気入れなどの気圧装置の影響を受けて、使用者の下への圧力は制限することができて、更に下への圧力範囲はは４．５センチサイズまで抑えてられているため、下への圧力に、下への圧力範囲は大きすぎるで、胸部の骨折の問題を生みることを避けられる。
本考案の特徴の３は、全体の装置、比較的に発明者は従来の技術を、更に合理化して、製造は更に便利で、更に産業上にの利用性があって、大量に生産と使うことに適することができる。
【図面の簡単な説明】
【０００９】
【図１】本考案の立体のイメージである。
【図２】本考案の立体の進展変化のイメージである。
【図２Ａ】図２の部分拡大イメージである。
【図２Ｂ】図２の部分拡大イメージである。
【図２Ｃ】図２の部分拡大イメージである。
【図２Ｄ】図２の部分拡大イメージである。
【図３】本考案のコントロール装置の立体の進展変化のイメージである。
【図４】本考案の第1のエアポンプの立体の進展変化のイメージである。
【図５】本考案の第２のエアポンプの立体の進展変化のイメージである。
【図６】本考案は頂部バレルの立体のイメージである。
【図７】本考案のバレルの立体のイメージである。
【図８】本考案の上のシリンダーの立体の進展変化のイメージである。
【図９】本考案の下のシリンダーの立体の進展変化のイメージである。
【図１０】図1のＸ-Ｘの断面のイメージである。
【図１１】本考案の下でおさえる時の断面のイメージである。
【図１２】本考案の下で息の時の断面のイメージである。
【図１３】本考案は息の時の断面のイメージである。
【図１４】本考案が息の取っ手を吹いて、酸素の閥の頭とコントロール装置のイメージである。
【図１５】本考案の第1回インフレータブルハンドが押さえる時のポインティングデバイスのアクションのイメージである。
【図１６】本考案の第２回インフレータブルハンドが押さえる時のポインティングデバイスのアクションのイメージである。
【図１７】本考案の上、下でのシリンダーに気体を入れていない時の内部の立体のイメージである。
【図１８】本考案の上、下でのシリンダーに気体を満たして入れていた時の内部の立体のイメージである。
【図１９】本考案が片道スロットルバルブとスロットブロックの立体の進展変化のイメージである。
【図２０】本考案の酸素のバルブヘッドの立体の進展変化のイメージである。
【図２１】本考案のクランプフレームの立体のイメージである。
【図２１Ａ】図２１の部分拡大イメージである。
【図２２】本考案の第１のエア伝導ブロックの立体のイメージである。
【図２２Ａ】図２２の上正投影図のため。
【図２２Ｂ】図２２の正面図のため。
【図２２Ｃ】図２２の右正投影図のため。
【図２３】本考案の第２のエア伝導ブロックの立体のイメージである。
【図２３Ａ】図２３の上正投影図である。
【図２３Ｂ】図２３のフロントビュー正面図である。
【図２３Ｃ】図２３の左視図である。
【図２４】本考案が圧力軸支柱バーとガトリングギアは未アクションの時の断面のイメージである。
【図２５】本考案は初めに下を向いてアクションをして、ガトリングギアの変位時の断面のイメージである。
【図２６】本考案は圧力軸支柱バーを上へアクションをして、ガトリングギアの回転する時の断面のイメージである。
【図２７】本考案は圧力軸支柱バー1つ上下アクションに完成、ガトリングギアの一角度を回転した時の断面のイメージである。
【図２８】本考案は未アクションの時の断面のイメージである。
【図２９】本考案の第１回の息吹く時の断面のイメージである。
【図３０】本考案の第２回の息吹く時の断面のイメージである。
【図３１】本考案の初めに下を向いて押さえる時の断面のイメージである。
【図３２】本考案が下を向いての回復したる時の断面のイメージである。
【図３３】本考案が下で３０回の後で内部の状態の断面のイメージである。
【図３４】本考案が下へおさえた後に、第１回の息吹く時の断面のイメージである。
【図３５】本考案が下へおさえた後に、第2回の息吹く時の断面のイメージである。
【図３６】本考案の酸素供給イの立体のイメージである。
【図３７】本考案の酸素供給器の立体の進展変化のイメージである。
【図３８】本考案のアクション実施イメージである。
【図３９】本考案のアクション実施イメージである。
【図４０】本考案の口の鼻は器の立体の立体の進展変化の実施イメージである。
【考案を実施するための形態】
【００１０】
次に、この考案を実施するための形態について図を用いて説明する。
以下が図１、図２、図２Ａ〜２Ｄ、図３、図６、図７、図１４、図１５、図１６、図２４、図２５、図２６、図２７示したよう、それは一種の心肺蘇生救急器（１００）を掲示されている。その特徴は、次のとおりである。
【００１１】
１つは、人体の寝そべっている上をまたがる置くことができるの柱脚受け台（１）、
【００１２】
1つは、ネジで固定したの当該柱脚受け台（１）上の面のバレル（２）、当該バレル（２）中の底で1つ中心を位置しているのホール（２１）を設けられて、２つホール（２１）の片側にの通気穴（２３）を設けられて、および２つその通気穴（２３）にの相対しているの所を設置しているの位置付けの溝（２４）。そしてバレル（２）の底のへりに、フランジ（２２）を設けられて、頂のへりに、位置のリング溝（２５）が設けている。
【００１３】
1つは、詰まって固定したの当該バレル（２）、トップの上部バレル（３）、当該
トップの上部バレル（３）中の底で中心をホール（３１）を設けられて、当該ホール（３１）の片側に２つの位置付けの穴（３２）を設けて、反対側に内にの排気ガイド穴（３３）と外にの排気ガイド穴（３４）を設けられてある。
【００１４】
1つは、ポンプグループセット（４）当該ポンプグループセットは１つバレル（２）の上部の第1ポンプ（４１）と１つバレル（２）の中の底で設けられいるのをからである。そうして一端が第1ポンプ（４1）底と接続したの第２ポンプ（４２）。1つは、当該第1ポンプ（４１）と第２ポンプ（４２）接続したどころの接続プレート（４３）、および1つ第２ポンプ（４２）の底に設けられてあるの底板（４４）から構成した。当該第1ポンプ（４１）と第２ポンプ（４２）はすべて1つの位置付けプレート（４１１、４２1）、1つの密封したボード（４１４、４２４）、1つ位置付けプレート（４１１、４２１）と密封したボード（４１４、４２4）間の伸縮の内膜（４１２、４２２）および1つの伸縮の内膜（４１２、４２２）外側の伸縮の外膜（４１３、４２３）から構成したのである。しかしどちらも逆に設置を呈するため、第1ポンプ（４１）は位置付けプレート（４１１）から順番に密封したボード（４１４）に詰め込まれて、第２ポンプ（４２）は位置付けプレート（４２１）から順番に密封したボードに詰め込まされているのである。
【００１５】
１つバレル（２）中のシリンダーセット（５）を設けられてある。、当該シリンダーセット（５）は１つバレル（２）中のトップで設けられて、そして第1ポンプ（４１）外の上部シリンダー（５1）にかぶせてで設けてある。１つバレル（２）中の底で設けられいる、そして第２ポンプ（４２）外の下部シリンダー（５２）にかぶせてを設けられてある。おうおび１つの下部シリンダー（５２）に接続した。そして下部シリンダー（５２）中の空気を導き出したのエア配管（５３）から構成した。
【００１６】
１つポンプグループセット（４）とシリンダーセット（５）間にその両者の接触のを避けられるパーテーション？シリンダー（６）を設けられてある、当該パーテーション？シリンダー（６）のトップに１つトップの上部バレル（３）と位置付けプレート（４１１）間に位置決めフランジ（６１）を設けられてある、当該フランジ（６1）の一側にバルブガイド穴（６２）を設けられてある、反対側に排気ガイド穴（６３）を設けられてある、？側にスロット（６４）を設けられてある。
【００１７】
１つコントロール装置（７）、当該コントロール装置（７）は上部バレル（３）内の片側、と下部シリンダー（５２）に接続した、そしてその中の気体を1角度に回転すした後に導き出しましたの第一エアガイドブロック（７１）が設けられてある。
【００１８】
１つ第一エアガイドブロック（７１）と、反対側向くの形で設置、上部シリンダー（５1）と接続した、そしてその中の空気を導き出したの第二エアガイドブロック（７２）。１つ第一エアガイドブロック（７１）の中、そして上部シリンダー（５1）の出力してあるかと、中の空を制御することができの第一エアガイドパイプ（７３）が設けられてある。１つ第二エアガイドブロック（７２）、そして下部シリンダー（５２）の出力してあるかと、そして、一端が第一エアガイドブロック（７１）と繋ぎ、中の空の第二エアガイドパイプ（７４）。１つ第一エアガイドパイプ（７３）と第二エアガイドパイプ（７４）間のパイプギア（７５）が設けられてある。１つ第二エアガイドパイプ（７４）とパイプギア（７５）間のエアガイド回転車輪（７６）が設けられてある。１つパイプギア（７５）の一側に、そしてパイプギア（７５）回転のリバウンド止めピース（７７）が設けられてある。１つパイプ,ギア（７５）の反対側にパイプギア（７５）と垂直して、そしてエアガイド回転車輪（７６）を導くして動かすことができるの第一電気伝導ピース（７８）が設けられてある。および１つ第一電気伝導ピース（７８）と相対的、平行して順列で呈しているパイプギア（７５）と遠く離れてを設置しているの第二電気伝導ピース（７９）から構成された。
【００１９】
数個はそれぞれをポンプグループセット（４）とシリンダーセット（５）兩端の片道
方向転換バルブ（８）が設けられて、エアポンプグループ(4) とシリンダーセット（５）の入りこと、排気ことを制御されるのを供えられる。
【００２０】
１つシャフトは、上記の柱脚受け台（1）、バレル（２）、上部バレル（３）、エアポンプグループセット（４）、シリンダーセット（５）、およびパーテーション？シリンダー（６）の中心を軸で位置しているの圧力軸支柱バー（９）に設けられてある。当該圧力軸支柱バー（９）は１つ柱脚受け台（1）底側に設けられて、人間の身体に接触、柔軟なバッファプレート（９1）トップにの底の圧力軸支柱バー（９２）。1つネジで固定したの底の圧力軸支柱バー（９２）トップにの中間の圧力軸支柱バー（９３）。1つ詰めで固定したの中間の圧力軸支柱バー（９３）トップにのコネクタ継ぎ目（９４）、1つネジで固定したのコネクタ継ぎ目（９４）トップにのトップ圧力軸支柱バー（９５）、および1つ固定で設けしたのトップ圧力軸支柱バー（９５）トップの手押さえプレートから構成される。
【００２１】
２つは、固定したの当該柱脚受け台（１）下の面に人体上に位置付けられるのを供えられるのクランプフレーム（１０）、1つは、上部バレル（３）上の面、そして閉鎖されられるのを位置しているの、トップカバー（１１）。
【００２２】
1つは、トップカバー（１１）中央の片側を位置しているの、インフレータブルハんド（１２）、このインフレータブルハんド（１２）はＴ形を呈して、そして突出の末端（１２１１）があって、そして別の一側は手押さえプレート（９６）と連結したのハンドル（１２１）がある。のハンドル（１２１）である。２つそれぞれハンドル（１２１）の底側で設けるのスプリング（１２２）である。1つハンドル（１２１）の下部の一側で設けられ、そして、ハンドル（１２１）を跳ね飛ぶを防ぐためのブロックリング（１２３）が設けられある。および1つハンドル（１２１）の反対側の下部にある、そして、エアガイド回転車輪（７６）アクションのコントロールすることができのフックブロック（１２４）から構成された。
【００２３】
1つは、インフレータブルハンド（１２）前側に、インフレータブルハンド（１２）により駆動されられる、そして酸素供給装置（１７）と連結したのを位置しているエアコンを貯蓄、の酸素のバルブヘッド（１３）。
【００２４】
1つは、第1のエア伝導ブロック（７１）と第２のエア伝導ブロック（７２）間に固定したの息吹く用ヘッド（１４）、この息吹く用ヘッド（１４）はL形を呈して、上部に、ある酸素入り口（１４１１）は、酸素ガイドのバルブヘッド（１３）と接続されるの混気室（１４１）が設けられてある。1つ混気室（１４１）前端のアウトレットの接続（１４２）が設けられてある。つ混気室（１４１）と第1のエア伝導ブロック（７１）連結したの一端の左單向導流閥（１４３）が設けられてある。および1つ混気室（１４１）と第２のエア伝導ブロック（７２）連結した設定されるの一端の左單向導流閥（１４３）と相対的にされたの右單向導流閥（１４４）から構成された。および1つ手押さえプレート（９６）上部に位置しているのポインティングデバイス（１５）が設けられてある。このポインティングデバイス（１５）は1つのコントロール装置（７）と電気コネクタ、および下にの圧力のアクセス数を表示できのＬＥＤのデジタルディスプレイ（１５１）である。また、1つはＬＥＤのデジタルディスプレイ（１５１）の一端に位置している、そして、人間の音声は、スピーカの大く放出することができ人体マイク（１５２）と電気コネクタをして、人間の音声を収集することができの録音機器（１５３）から構成された。
【００２５】
当該第一エアガイドパイプ（７３）は排気口（７３１）と空気取り入れ口（７３２）が設けられてある。２つとの間は一直角の角度に設定されている。
【００２６】
当該第二エアガイドパイプ（７４）は排気口（７４１）と空気取り入れ口（７４２）が設けられてある。この２つとの間も一直角の角度に設定されている。しかし、第一エアガイドパイプ（７３）にアクセスした後、この第一エアガイドパイプ（７３）の排気口（７３１）と1の空気取り入れ口（７３２）がパイプギア（７５）を一違いの歯度の角度である。
【００２７】
当該パイプギア（７５）は３２齒の設定で、しかしその1側には幅２歯のギャップ（７５１）に設定されているため、実際には30の歯がある。
【００２８】
当該エアガイド回転車輪（７６）は相対的なパイプギア（７５）でギャップ
（７５１）の1側に設定されてある、パイプギア（７５）とギア同じの２つのガイドギア（７６１）が設定されてある。
【００２９】
その中、この設置を通して、使用者を、３０押さえつけるた後で、使用者に対して息を吹くことができて、そして下への圧力のから敷いて、第1エアポンプ（４１）、第２エアポンプ（４２）を通して、1の上で、1の下の動作の中で、上部シリンダー（５１）および下部シリンダー（５２）を、加圧して空気を蓄えて、効き目がある利用毎分の施力で、十分な息を吹く、圧力を吹くことを提供して、２度の吹気量を提供して、ひとまとまりの設備の中で、新版の心肺蘇生法（ＣＰＲ）に津いてのすべての動作を完成される。
【００３０】
その次に、パイプギア（７５）とエアガイド回転車輪（７６）の設置を通して、使用者が息を吹くことを行っている時、圧力軸支柱バー（９）必要はないことができて、すぐ患者に対して息を吹くことができて、患者の胸部の施力のない状態の下で、順調な将は空気を混合して、患者の肺部に吹いて入られる。
【００３１】
それに、第一エアガイドパイプ（７３）と第二エアガイドパイプ（７４）の設置を通して、パイプギア（７５）とエアガイド回転車輪（７６）の協力は効き目がある、１つの心臓マッサージの動作が循環した後で、二度分けて空気を出力することができる。
【００３２】
上述の中に、述べたのは酸素ガイドのバルブヘッド（１３）をL形を呈しているとそして当たり空っぽなのが酸素ガイドチューブ（１３１）、酸素ガイドチューブ （１３１）トップの頂の列（１３２）、一酸素ガイドチューブ（１３１）中部の位の凸？フランジ（１３３）のからを設ける。少なくともひとつは酸素ガイドチューブ（１３１）、底部の位でのサイド排気口（１３４）を設ける。ひとまとまりは酸素ガイドチューブ（１３１）、底部の位でのさえぎる輪（１３７）を設ける。ひとまとまり酸素ガイドチューブ（１３１）、底以外に、そしてさえぎる輪（１３７）の上方にあるのホルダー（１３６）、および1つの凸？フランジ（１３３）とホルダー（１３６）間のスプリング（１３５）から構成される。
【００３３】
その中、この設置を通して、酸素の入力を効き目があるでの管理、そして装置の複雑さ度を減らして、本考案に製造の便利さを図ることができて、産業の利用性を高める。
上述の中に、バッファプレート（９１）の底部、わずかなへこむ穴（９１１）を設けて、人体の音を、順調に録音機器（１５３）は収集されてることができて、使用者に、音のから敷いて、患者が動悸と呼吸を回復するかどうかを判断するの便利さを与える。
【００３４】
上述の中に、述べた中間の圧力軸支柱バー（９３）インフレータブルハンドル（１２）の片側に遠く離れて、1の突き出ている凸條（９３２）があって、そしてキャップ（１１）と突き出ている凸條（９３２） 向かい所に、1あってこの突き出ている条凸 （９３２）滑らせて移動のへこむ溝（１１１）を供えることが設けられてある。
【００３５】
その中、この設置を通して、圧力軸支柱バー（９）、の回転をおさえ避けられること、そして鈍い防ぐことの作用を生まれるができる。
【００３６】
上述の中に、述べた中部の圧力軸支柱バー（９３）の付近にパイプギア(75)の所を片側の開孔（９３１）が設けてある。
【００３７】
上述の第1電気伝導の（７８）と第2電気伝導の（７９）、中部の圧力軸支柱バー（９３）の両側に固定して、そしてと側の開孔（９３１）は平行して、しかもこの第一の電気伝導の（７８）は側の開孔（９３１）の1面に向かい所に、中部の圧力軸支柱バー（９３）に際立つ突き出ている、そしてフック運転されるのパイプギア（７５）のフックブロック（７８１）を設けられてある。
【００３８】
また上述の第２電気伝導の(79)は第1電気伝導の（７８）の片側で近くて、1と第一電気伝導の（７８）、1面に間隔があっての1隙間（ｈ）で設置の電気伝導の柱（７９１） を設けられてある。
【００３９】
その中、この設置を通して、第一電気伝導の（７８）のフックブロック（７８１）になって、圧力軸支柱バー（９）の下でおさえる時に、パイプギア（７５）の押し出しを受けることがありて、これから後しろにくねくね湾曲して、電気伝導の柱（７９１）にぶつかって、1ニュース電磁波による指示装置（１５）のＬＥＤ数字のディスプレイ（１５１）まで(へ) 信号を生んで、その数字に1にさせて、一回おさえてで表示はおりて、使用者に下へ押さえる回数を知ってるをさせられる。
【００４０】
上述の中に、混気室（１４１）とアウトレットの接続（１４２）つなぎ合わせて所につながって、混合ガスの出口（１４１４）が設けられてあって、酸素入り口（１４１１）垂直の設置を呈する。左方向転換バルブ（１４３）つながって所に、1第一気体の入り口（１４１２）が設けられてある。右方向転換バルブ（１４４）津ながって所に、1第二気体の入り口（１４１３）が設けられてある。上述のアウトレットの接続（１４２）内、更に一方であることが１の第七の片道転換バルブ（８Ｇ）が設けられてある。
【００４１】
その中、この混気室（１４１）の設置を通して、第１エアガイドブロック（７１） と第２エアガイドブロック（７２）との接続をして、そしてその両者のそれぞれ入力した空気を、酸素入口（１４１１）入力の酸素、十分な混合るができて、患者に十分な酸素を提供されて、できるだけ早く患者のその肺部の機能を回復して、脳部の酸欠の時間が延長することで、患者に対して回復することができない傷つけることをもたらすのを避けることができる。
【００４２】
上述の中に、述べて上部バレル（３）を、コントロール装置（７）の片側の壁の面に向い所に、エアフィルタ （３５）が設けられてある。
【００４３】
その中、エアフィルタ（３５）を通して、本考案の中の空気に入ることができて、一回濾過して、患者に対して、有害な空気を入力するのを避けることができる。
【００４４】
図４に示すように、第1エアポンプ（４１）の位置付けプレート（４１１）の中央、ひとホール（４１１１）があって、ホール（４１１１）の片側、中心の付近の所は、内のから外まで(へ)、４つあっての伸縮の内膜（４１２）がと伸縮の外膜（４１３）の間のバルブの位置付け穴（４１１２）に位置してある、およ美２つ上部シリンダー（５１）の接続ができて、バルブガイド穴（６２）と向っかているのバルブの位置付け穴（４１１２）が設けられてある。このバルブの位置付け穴（４１１２）は全て1が片道方向転換バルブ（８）を強く位置付けを設けることを供えることができる、別の方向に1がエア配管（５３）が横切ります位置付けの溝（４１１３）、1が上部バレル（３）と相対しているの内にの排気ガイド穴（３３）の排気ガイド穴（４１１４）が設けられてある。
【００４５】
上記の第1エアポンプ（４１）を述べて2つが伸縮の内膜（４１２）がと伸縮の外膜（４１３）の間のバルブの位置付け穴（４１１２）の所に位置して、内のから外まで(へ)、２つの横の方向の相対的な第1バルブの位置付け穴（４１１２）は、ただ第1エアポンプ（４１）を空気進んられでの第1片道方向転換バルブ（８Ａ）のために設置されて、別の２つの横の方向の相対的なバルブの位置付け穴（４１１２）は、ただ第1エアポンプ（４１）を排気できの第２の片道方向転換バルブ（８Ｂ）を設置されのため、そうして上部シリンダー（５１）を空気進んられでの第３片道方向転換バルブ（８Ｃ）のために設置されて、また、ブロック（８６）で覆われていたを設置されてある。
【００４６】
その中、この第1エアポンプ（４１）の設置を通して、第1エアポンプ（４１）を押さえた後に、一方片道方向転換バルブ（８）の設置を協力して、もとでおさえて返答する動作の利用されて、息に進んでと排気することが効き目がありできて、上部シリンダー（５１）に対して空気を蓄えてのを行うことに合える。
【００４７】
図５示した事のような、第２エアポンプ（４２）の位置付けプレート（４２１）中央を、ひとホール（４２１１）があって、ホール（４２１１）の片側、付近の中心の所は、内のから外まで(へ)、4つあって伸縮的内部カプセル（４２２）と伸縮的外部カプセル（４２３）の間のバルブの位置付け穴（４２１２）に位置する、および2つは下部シリンダー（５２）の接続の閥の位置付けの穴（４２１２）がある、この閥の位置付けの穴（４２１２）は全て1が片道方向転換バルブ（８）を別の方向に導いて強く位置付けを設けることを供えることができて、別の側1エア配管（５３）が位置付け用のつけ溝（４２１３）を横切りしてありのを供えます、1でエア配管（５３）が下部シリンダー（５２）陽の排気ガイド穴（４２１４）を横切りしてつながりありのを供える。
【００４８】
第２エアポンプ（４２）を述べて２つが伸縮的内部カプセル（４２２）と伸縮的外部カプセル（４２３）の間の閥の位置付けの穴（４２１２）の所に位置して、内のから外まで(へ)、２つの横の方向の相対的な閥の位置付けの穴（４２１２）は、設置のために第２エアポンプ（４２）を第四の片道転換バルブ（８Ｄ）を別の方向に導くことしかできません。別の２つの横の方向の相対的な閥の位置付けの穴（４２１２）は、設置の第2エアポンプ（４２）に排気することしかできない第五の片道転換バルブ（８Ｅ）を別の方向に導いて、上と上部シリンダー（５１）の接続を蓄えて、バルブガイド穴（６２）の２つの閥の位置付けの穴（４１１２）の所を導くことができて、設置のために下部シリンダー（５２）を蓄えて息の第六の片道転換バルブ（８Ｆ）を別の方向に導きます下へ譲ることしかできなくて、しかもこの各第五の片道転換バルブ（８Ｅ）を別の方向に導いて付近の第六の片道転換バルブ（８Ｆ）の1面を別の方向に導いて、更にそれぞれ覆いあってディバージョンブロック（８６）で覆われていたのを設けてある。
【００４９】
その中、この第２エアポンプ（４２）の設置を通して、第二エアポンプ（４２）を押さえた後に、片道方向転換バルブ（８）に協力しての設置を、下への圧力および回復アクションを効果的な空気入れと排気、下部シリンダー（５２）に空気を蓄えて貯蔵を行うことことができる。
【００５０】
上記の第1のポンプとして（４１）の位置付けプレート（４１１）が、上部シリンー（５１）に接続するの排気ガイド穴（４１１４）を設けてある。
【００５１】
上記の第２のポンプ（４２）の位置付けプレート（４２１）は、下部シリンダー（５２）に接続できて、エア配管（５３）と下部シリンダー（５２）の排気ガイド穴（４２１４）接続への装備したのを設けてある。
【００５２】
その中、この設置を通して、上部シリンダー（５１）との下部シリンダー（５２）を安定させ位置付けることができる、その中の気体を順調な排除させることができる。
【００５３】
上述の中に、密封したボード（４１４、４２４）と接続プレート（４３）を、全て中心のホール（４１４１、４２４１、４３１）に位置することがある。および数個端の底がその底の圧力軸支柱バー（９２）に上端の中に位置する中間の圧力軸支柱バー（９３）に、相互のマキガイが固定的つなぐことができるようにの接続の穴コネクタ穴（４１４２、４２４２、４３２）が設けてある。
【００５４】
その中、コネクタ穴（４１４２、４２４２、４３２）の設置に通して、圧力軸支柱バー（９）に密封したボード（４１４、４２４）と接続プレート（４３）の接続につながることができる、同時に第1エアポンプ（４１）と第2エアポンプ（４２）を動かして、第２エアポンプ（４２） を縮小させて時に、第1エアポンプ（４１）、第２エアポンプ（４２）は拡張させてる時、第1エアポンプ（４１）が縮小することで、１の上で、１の下で動作の中で、２回目気体の圧縮して出力の目標を達成される。
【００５５】
上述の中に、パッド（４４）の中心の所を敷いて、１が底の圧力軸支柱バー（９２）に上り下りするように供えることができるのホール（４４１） 。ホール（４４１）の片側、近い中心の所、設置のバルブ位置決め穴（４４２）、および２つの８字形の設置を呈する閥のバルブの位置決めスロット（４４３）があって、の一側に対して双方があって、前記バルブ位置決め穴（４４２）と閥の位置決めスロット（４４３）は、全て片道方向転換バルブ（８）を使うことを供給(提供)できる。別の側は1がエア配管（５３）を横切るで位置付けるの溝（４４５）を供えることができる。しかもパッド（４４）の底部を敷いて、２つあってバルブの位置付けの穴（４４２）に換気を通して、バレル（２）を相対的しているの通気穴（２３）の換気ガイド溝 （４４４）を設けてある。
【００５６】
その中、この設置を通して、第2エアポンプ（４２）の加圧する気体を、順調な下部シリンダー（５２）の中で蓄えることができて、そして第２エアポンプ（４２）と気体を送り込み終わらせました後に、換気ガイド溝（４４４）の所を、空気を吸い込んで、再びこの循環を繰り返させることである。
【００５７】
上述の中に、それぞれ換気ガイド溝（４４４）の所、更に1がフィルターチップ（１６）があって、そしてバレル（２）の位置付けの溝（２４）？に位置付けをする。
【００５８】
その中、きわめてフィルターチップ（１６）を通して、本考案の中の空気に入ることができて、一回濾過して患者者に対して、有害な空気を入力するのをさけられる。
【００５９】
図８、図９、図１０、図１１、図１２、図１３、図１７、図１８示した事のようです。述べたのは上部シリンダー（５１）は１つ上部バレルと（３）の底の両端の面の接続の位置決めリングプレート（５１１）円柱形の機械部品などの両端の面の接続の位置決めリングプレート（５１１）から、もしも1が位置決めリングプレート（５１１）内環のへりにをして、緊縮する形のスパイラル内部カプセル（５１２）を呈しているのを位置されて、もしも1が位置決めリングプレート（５１１）外環にへりにして、緊縮する形のスパイラル外部カプセルル（５１３）を呈している、および1はスパイラル内部カプセル（５１２）とスパイラル外部カプセル（５１３）の間を密閉すると限られたスペースの閉リングプレート（５１４）から、形成して構成したである。この位置決めリングプレート（５１１）位置決めリングプレート（５１１）はバルブガイド穴（６２）の相対しているの所を、それぞれ1バルブガイド穴（５１１１）を設けて、相対しているの排気ガイド穴（６３）の所を、1あって第二エアガイドブロック（７２）接続の排気管（５１１２）、相対しているのスロット（６４）の所を溝（５１１３）を設けられてある。
【００６０】
上述の、下部シリンダー（５２）は１と位置付けのプレート（４２１）頂端面の接続、そして片側がエア配管（５３）の接続の位置決めリングプレート（５２１） のからのです。ーつこの位置決めリングプレート（５２１）の外環へりに緊縮する？態のスパイラル外部カプセル（５２３）、および1はスパイラル内部カプセル（５２２）トスパイラル外部カプセル（５２３）の間を密封したで、密封したの空間形成しているの閉リングプレート（５２４）が構成したである。
【００６１】
この位置決めリングプレート（５２１） の相対しているバルブガイド穴（５１１１）の所に、それぞれ１バルブガイド穴（５２１１）が設けてある、そしてエア配管（５３）と繋がって、順列しての所には1列の気孔（５２１２）と、溝（５２１３） が設けてある。
【００６２】
その中、この設置の中で、最も重要なところのひとつは、スパイラル内部カプセル（５１２、５２２）とスパイラル外部カプセル（５１３、５２３）が、この螺旋の設計を通して、スプリングのようの効果が生むことができて、空気を蓄える時、1圧力を生んで、息を吹くことの動作を行う時で、迅速なこの空気は絞り出して、患者に高速が空気を獲得することができて、人工呼吸を比べて、更に良い救護の効果を発生されることが出来る。
【００６３】
上述の中に、エア配管（５３）と下部シリンダー（５２）の位置決めリングプレート（５２１）との接続の所に  環をすることを導くことを述べて、？形のを呈しているのエア配管入口（５３１）である。そして第一エアガイドブロック（７１）との接続の１面は、Ｌ形のを呈しているのエア配管出口（５３２）である。
【００６４】
図２２、図２２Ａ、図２２Ｂ、図２２Ｃ示した事のよう、求める中に掲示しだして第一エアガイドブロック（７１）の内、空気導管（７１１）が、気体を９０度回転する後に導き出してのをあって、この空気導管（７１１）は1エア配管（５３）を通して、下部シリンダー（５２）の接続の空気導管入口（７１１１）である。1垂直方向の空気導管（７１１２）松橋に、第一エアガイドパイプ，（７３）を設置できるの位置付けの穴（７１１３）かあって。1位置付けの穴（７１１３）は垂直にこの垂直方向の空気導管（７１１２）の片側の縦方向の空気導冠（７１１４）があって、1の縦方向の空気導冠（７１１４）末端に、この左單向導流閥（１４３）と接続できるのエア出力穴（７１１５）から構成されることである。
【００６５】
その中、この設置を通して、第一エアガイドブロック（７１）の空気導管（７１１）で、下部シリンダー（５２）の気体の出力を効き目があるコントロールをされて、最初の息を吹くのを形成である。
【００６６】
図２３、図２３Ｂ、図２３Ｃ示した事、図中に掲示しだして第2エアガイドブロック（７２）の内、空気導管（７２１）があって、気体を９０度回転することができる後に導き出して、この空気導管（７２１）は1との上部シリンダー（５１） から接続の空気導管入口（７２１１）である、1は空気導管入口（７２１１）の接続の垂直方向の空気導管（７２１２） 、もしも1は垂直方向の空気導冠（７２１２）末端に、第二エアガイドパイプ （７４）設置されられるの位置付けの穴（７２１３）、1位置付けの穴（７２１３）はたれ直で垂直方向の空気導管（７２１２）の片側の縦方向の空気導管（７２１４） があって、1の縦方向の空気導冠（７２１４）末端に、この右單向導流閥（１４４）と接続できるのエア出力穴（７２１５）から構成されることである。
【００６７】
その中、この設置を通して、第二エアガイドブロック（７２）の空気導冠（７２１）を、上部シリンダー（５１）の気体の出力を効き目があるコントロールをされて、最初の息を吹くのを形成である。
【００６８】
更に図19示した事のような、それが掲示しだ片道方向転換バルブ（８）は1バルブボディ（８１）からで、1バルブボディ（８１）の片側のさえぎるピス（８２）で設けますと、もしも1軸がバルブボディ（８１）の内で、1面とさえぎるピス（８２）が接続を、そしてさえぎるピス（８２）をさえぎられて動かすことができる、バルブボディ（８１）の内で滑らせての移動のバルブシャフト（８３）である。もしも1がバルブシャフト（８３）の別側でバルブシャフト（８３）の変位量の位置付けを制限することができの位置決めリングブロック（８４）である。もしも1バルブボディ（８１）と位置決めリングブロック（８４）間に1さえぎるピス（８２）後退のもとのクローズのスプリング （８５）が設けられてある。
【００６９】
その中、1の簡単な片方方向転換バルブ設置を使って、気体の流量流れる方向を効き目があるコントロールと同時に、故障率、後続補修する難度とを下げてられ
【００７０】
上述の中に、ディバージョンブロック （８６）の内、1のU型放水路（８６１）が気体の向かうを変化にことができて、気体を別の設置の中に取り入れが設けられてある。
【００７１】
図２１、図２１Ａ示した事のようで、それがクランプフレーム（１０）を支えることをはさむべきなことを掲示しだすのは設けますとから柱脚受け台（１）の底の端のからシェル（１０１）を支えるのです、もしも、1このシェル（１０１）の内で1面は際立ってから（１０１）の1面の外管（１０２）を設けて、もしもひとまとまりは外管（１０２）内、1面が際立ってからシェル（１０１）が別に捧げるインナーチューブ（１０３）を管理することを管理するならば、２つがそれぞれ設けて外管（１０２）とインナーチューブ（１０３）がからシェル（１０１）で弾力性の曲がったところを捧げて、湾曲したフック本体（１０４）にしるしをつけることに際立つことを管理することを管理します、2つ各自です1面との外で（１０２）あるいはインナーチューブ（１０３）接続、別の端とからシェル（１０１）の接続のスプリング（１０５）、および1柱脚受け台（１）とシェル（１０１）間のステント（１０６）から構成されるである。
【００７２】
上述、2つクランプフレーム（１０）は、それぞれに同じ側の湾曲したフック本体（１０４）の間、更に1が湾曲したフック本体（１０４）の接続にして、それと同時にプルする湾曲したフック本体（１０４）を供えますのドローバー（１０７） が設けられてある。
【００７３】
上述の中に、シェル（１０１）は1内面の中央から誘導装置（１０１２）の  ベース台（１０１１）を持って、および1内面の中央が誘導装置（１０１４）のトップカバー（１０１３）を持ってのから構成されたである。
【００７４】
上述の外管（１０２）の片側は、L形のを呈しているのガイドブロック（１０２１）を設けられて、外管（１０２）)が回転したり滑りだすことなどを避けられ。
【００７５】
また上述の内管（１０３）相対しているのガイドブロック(1021)の片側の所1つ際立ちますの外管 (102) をL形のを呈しているのガイドブロック（１０２１）が設けられている。
【００７６】
別に述べたのバー（１０７）が1つの2つ湾曲したフック本体（１０４）のに上方の上のバー（１０７１） から嵌めて設けてある、および上のバー（１０７１）マキガイに向かい合ってる上のバー（１０７１）の下のドローバー（１０７２） の下部の下のバー（１０７２）をネジしめで設けられてある。
【００７７】
その中、この設置を通して、本考案の1の高速の位置付けの挟め持つ力を提供して、そして安定させを求めての同時に、患者に対する胸部を、大きすぎるの圧力を生んで、その呼吸に順調にならせないのを避けられる。
【００７８】
図36、図の37示した事のようで、述べたの酸素供給装置 (17)は純粋な酸素を含んでいるの瓶(171)である。を供給します含んでいりますとから純粋な酸素の瓶の体(171)があるのです；1つこの瓶(171)の1面でのコネクタ（172)が設けられてある。およびこの瓶(171)がとコネクタ (172)間に1つコネクタ (172)の位置付けられるを供えるのコネクタブロック(173) が設けられてある。
【００７９】
上述のコネクタ  （１７２）  内に、1つT字型のチャンネル （１７２１）があって、このコネクタブロック（１７３）が少なくとも１つの以上の縦方向の開口部（１７３１） 画設けられてある。
【００８０】
その中、この酸素供給装置（１７）を通して、本考案の心肺蘇生救急器 （１００）戸合わせてで使うことを便利されられる、そして頭部を高くの枕に敷いて使うこととができる。
【００８１】
上述の中に、息の吹きの頭 （１４）のアウトレットの接続（１４２）は空気輸送パイプ（１９）と、下記の中の1つの呼吸装置と接続される。  口や鼻の呼吸装置（１８）（ 図３９のよう)、酸素マスク（２０）（図４０に参考)。
【００８２】
その中、異なっている呼吸装置を通して、異なっている病状の患者に適用することができて、使用性の上で、いっそうの便利さに見える。
【００８３】
図40示した事のよう、口や鼻の呼吸装置（１８）は患者の口の鼻と結び付けられるのを供えることができて、1つのホース（１８１）、1つのスリーブ（１８２）、1つの空気シフトディフューザー （１８３）、1つの接続するパイプ （１８４）、1つの双方向弁 （１８５）、1つの  鼻呼吸装置（１８６）、1つの鼻孔３方向パイプ（１８７）、1つの中空保護のマスク（１８８）、1つの口部固定装置（１８８１）、および1つのマチッくマンド帯 (１８９)から構成したのである。このソケット（１８２）の1面、は空気輸送パイプ（１９）戸接続される、空気シフトディフューザー（１８３）、はソケット（１８２）の1面と接続される、双方向弁（１８５）、は柱の形の外形を持って、弾力性の物質から製造して、空気シフトディフューザー （１８３）の内を置いて、その一端は円錐の噴出する形のようを持っている。鼻鼻呼吸装置(186)の中央に、エアダクト (1861)を持って、その周辺は複数のホール（1862)を持って、エアダクト(1861)の別に一方で、空気シフトディフューザー（１８３）、を対面して、鼻孔3方向パイプ (187)の片側が2ホール (1871)を持って患者の鼻と通じ合っていることを供える。別の一方でただ1ホール(1872)が鼻呼吸装置 (186)のエアダクト (1861)とつながることを供える。接続するパイプ (184)1面を空気シフトディフューザー（１８３）とつながる。口部固定装置 (1881)の1面を患者の口部の内側に置くことを供えて、別の1面は接続するパイプ (184)の別の1面と接続する。
【００８４】
ホース(181)は患者の口内に入ることを供えて、その一端は口部固定装置(1881)に接続される。別の1面は空気シフトディフューザー（１８３）に連結されている。中空保護のマスク (188)をかばって口に合う形を合わせてして、口部固定装置（1881)あるいはホース(181)のあまりに深く患者の口内に固定するされることを阻止するのを供える。
【００８５】
その中、この種類の口や鼻の呼吸装置 (18) を通して、呼吸の状況の不安定な患者に使うことができる、比較的に酸素マスク(20)、もっと良いの酸素供給の効果があって、そして口が一対一で人工呼吸をすることで疾病の感染の可能性を受けられのを避けられることができる。
【００８６】
図28、図の29、図の30、図の31、図の32、図の33、図の34、図の35、図の38、図の39示した事のよう、それは本考案は新版の心肺蘇生法によっての装置の設計であることを掲示しだして、そしてすべての動作を、設置の中に入られって、使用者で人を助けるのを便利させられ、施救の成功率を高めて、施救を傷つけるのを下げること。
【００８７】
まず、図38と図39示した事のようで、心肺蘇生救急器(100)のあクランプフレーム (10)を支えて引き離すこと、心肺蘇生救急器( (100)を患者の胸部を支えることにバッファプレート (91)を胸部の2乳首の所で正しく中央連結をしてで、正しく心肺蘇生法(CPR)に施作であること、そして酸素供給装置 (17)を患者の首の後に放してで、物を高く敷くために供給して、額をおさえてあごを上げて、呼吸道の流暢さを維持して、しかも酸素供給装置(17)と酸素ガイドのバルブヘッド (13)の接続を供給して、そして1とアウトレットの接続(142)と接続の酸素マスク(20)をかぶせること。
【００８８】
その後、第1歩、施救を始めて、図29と図30示した事のようで、本考案の装置の後で、第1、第2次の息を吹くは、この時の上部シリンダー (51)と  下部シリンダー (52)は、決して圧力の存在がない、だから手押さえプレート（９６）で膨らませてハンドル(12)を通して、酸素ガイドのバルブヘッド (13)に対して持続的に加圧して、十分な酸素を入力して、混気室 (141)の内の酸素の圧力を、第七の片道転換バルブ (8G)の圧力を上回って、患者に酸素を出力してあげる。
【００８９】
しかる後、第2歩、また図31〜33示した事のような、本考案の装置のは1心臓マッサージの循環(30回、15上で、15下で)を行って、生むことができた状況、心臓マッサージと同時に、ストラット(9)をおさえた後に、気体は第2エアポンプ(42)から、第五の片道転換バルブ(8E))、ディバージョンブロック (86)、第六の片道転換バルブ (8F)を通って、下部シリンダー (52) に流れ込むこと、だから下部シリンダー (52)が最初に気体を入れられて、その他に、第1エアポンプ(41)はこの同時に、最初の1方向転換バルブ(8A) を通してで息を吸うこと。
【００９０】
そして上部シリンダー (51)は、ストラット(9)の上昇時に気体を入れることができて、気体は第1エアポンプ(41)から、第二の片道転換バルブ (8B) 、ディバージョンブロック (86)、第三の片道転換バルブ(8C)を通って、上部シリンダー(51) に流れ込むこと、それは２回目にの気体を入れられて、その他に、第2エアポンプ(42)はこの同時に、第四の片道転換バルブ(8C) を通してで息を吸うこと。
【００９１】
使用者がストラット (9)を30回の押え付けて時にの後で、上部シリンダー(51)と下部シリンダー(52)の空気を蓄えて満たしたこと、それが回転してパイプギア (75)が更に1周りを回って、息を吹きの前の状態を戻った。
【００９２】
この時、第3歩、30回の押え付けて時にの後で、再び押え付けて、すなわち31回目の後で、膨らませてハンドル (12)のを下押さえることを動かして回すことができて、そのフックブロック (124)は、エアガイド回転車輪(76)を動かして回すことができて、動かします第一エアガイドパイプ (73)と第二エアガイドパイプ(74) を動かして回すことができて、第1回が抑えつける時、第一エアガイドパイプ(73)の排気口(731)と空気取り入れ口 (732)には、先にに伝導ができて、下部シリンダー (52)を空気を出力すること、そして第2次が抑えつける時、第二エアガイドパイプ (74)の排気口(741)と空気取り入れ口(742)がそのときから伝導ができるて、下部シリンダー(52)を空気を出力すること、上部シリンダー (51)と下部シリンダー(52)の内は、全て圧力があるため、だから図34示した事のような、膨らませてハンドル (12)を押さえた後に、同時に酸素ガイドのバルブヘッド (13)を押さえられてることのため、だから酸素は絶えずに混気室(141)に注ぎ込むことができ(ありえ)て、下部シリンダー(52)から排除したの空気は、混気室(141)の内で酸素を混合した後に、初めの1口ちの混合したの空気を出力して、引き続いて、図3 5示した事のような、更に一回膨らませてハンドル(12)を押さえたこと後に、上部シリンダー (51)から第2口ちの混合したの空気を出力してのを提供される。
【００９３】
最後、もし一回の心肺蘇生法の中で、患者もまだ目を覚ましされていない時で、再び第2から第3歩まで(へ)ひっくり返って、ずっと、救急隊へ伝送あるいは救急車の到着までひっくり返ってやることである。
【００９４】
上述から知られることは、本考案の中で、この運営の流れを通して、一そろいの新版の心肺蘇生法(CPR)に蘇ることができて、ポインティングデバイス (15)の設置に合わしてから、更に少なくおさえるか多くおさえるかの問題がを心配しなくて、加える圧力、位置も固定することができて、施救の傷つけることを心配する必要はなくて、患者の生存率を増加することができて、今現在の従来の人工の施行する心肺蘇生法に、または特許の文献1、2、3、と比較して更に実用性、効果性と産業の利用性を持つことであるち。
【符号の説明】
【００９５】
1  柱脚受け台
2  バレル
21  ホール
22  フランジ
23  通気穴
24  位置付けの溝
25  位置のリング溝
3  上部バレル
31  ホール
32  位置付けの穴
33  内にの排気ガイド穴
34  外にの排気ガイド穴
35  エアフィルタ
4 ポンプグループセット
41  第1ポンプ
411  位置付けプレート
4111  ホール
4112  バルブの位置付け穴
4113  溝
4114  排気ガイド穴
412  伸縮の内膜
413  伸縮の外膜
414  密封したボード
4141  ホール
4142  コネクタ穴
42  第2ポンプ
421  位置決めプレート
4211  ホール
4212  バルブの位置決め穴
4213  溝
4214  排気ガイド穴
422  伸縮的内部カプセル
423  伸縮的外部カプセル
424  密封したボード
4241  ホール
4242  コネクタ
43  接続プレート
431  ホール
432  コネクタ
44  底板
441  ホール
442  バルブ位置決め穴
443  バルブの位置決めスロット
444  換気ガイド溝
445  溝
5  シリンダーセット
51  上シリンダー
511  位置決めリングプレート
5111  バルブガイド穴
5112  排気管
5113  溝
512  スパイラル内部カプセル
513  スパイラル外部カプセル
514  閉リングプレート
52  下部シリンダー
521  位置決めリングプレート
5211  バルブガイド穴
5212  ベント
5213  溝
522  スパイラル内部カプセル
523  スパイラル外部カプセル
524  閉リングプレート
53  エア配管
531  エア配管入口
532  エア配管出口
6  パーテーション？シリンダー
61  位置決めフランジ
62  バルブガイド穴
63  排気ガイド穴
64  スロット
7  コントロールユニット
71  第一エアガイドブロック
711  空気導管
7111  空気導管入口
7112  垂直方向の空気導管
7113  位置決め穴
7114  縦方向の空気導管
7115  エア出力穴
72  第二エアガイドブロック
721  空気導管
7211  空気導管入口
7212  垂直方向の空気導管
7213  位置決め穴
7214  縦方向の空気導管
7215  エア出力穴
73  第一エアガイドパイプ
731  排気口
732  空気取り入れ口
74  第二エアガイドパイプ
741  排気口
742  空気取り入れ口に
75  パイプ,ギア
751  ギャップ
76  エアガイド回転車輪
761  エアガイドギア
77  リバウンド止めピース
78  第一電気伝導ピース
781  フックブロック
79  第二電気伝導ピース
791  電気伝導の列
8  片道方向転換バルブ
8A  最初の1方向転換バルブ
8A  第一の片道転換バルブ
8B  第二の片道転換バルブ
8C  第三の片道転換バルブ
8D  第四の片道転換バルブ
8E  第五の片道転換バルブ
8F  第六の片道転換バルブ
8G  第七の片道転換バルブ
81  バルブボディ
82  ？片
83  バルブシャフト
84  位置決めリングブロック
85  クローズのスプリング
86  ディバージョンブロック
861  Ｕ型放水路
9  ストラット
91  バッファプレート
911  へこむ穴
92  底の圧力軸支柱バー
93  中間の圧力軸支柱バー
931  側面の穴
932  条凸
94  コネクタ継ぎ目
95  ストラット
96  手プラテン
10  クランプフレーム
101  シェル
1011  ベース台
1012  誘導装置
1013  キャップ
1014  ガイド
102  外管
1021  ガイドブロック
103  インナーチューブ
1031  ガイドブロック
104  湾曲したフック本体
105  スプリング
106  ステント
107  バー
1071  上のバー
1072  下のバー
11  キャップ
111  へこむ溝
12  インフレータブルハンドル
121  ハンドル
1211  突出の末端
122  スプリング
123  ブロックリング
124  フックブロック
13  酸素バルブヘッド
131  酸素チューブ
132  頂の列
133  フランジ
134  サイドコンセント
136  ホルダー
137  さえぎる輪
114  膨らませて頭
141  混気室
1411  酸素入り口
1412  ガス口
1413  單向導流閥
1414  混合ガスの輸出
142  アウトレットの接続
143  左方向転換バルブ
144  右方向転換バルブ
15  ポインティングデバイス
151  LEDのデジタルディスプレイ
152  マイク
153  録音機器
16  フィルターチップ
17  酸素供給装置
171  瓶
172  コネクタ
1721  T字型のチャンネル
173  コネクタブロック
1731  縦方向の開口部
18  口や鼻呼吸装置
181  ホース
182  ソケット
183  空気シフトディフューザー
184  接続するパイプ
185  双方向弁
186  鼻呼吸装置
1861  エアダクト
1862  ホール
187  鼻孔３方向パイプ
1871  ホール
188  中空保護マスク
1881  口部固定装置
189  マチッくマンド帯
19  空気輸送パイプ
20  酸素マスク
100  心肺蘇生救急器
H  ギャップ
【図１】
0003164294.tif 000003
【図２】
0003164294.tif 000004
【図２Ａ】
0003164294.tif 000005
【図２Ｂ】
0003164294.tif 000006
【図２Ｃ】
0003164294.tif 000007
【図２Ｄ】
0003164294.tif 000008
【図３】
0003164294.tif 000009
【図４】
0003164294.tif 000010
【図５】
0003164294.tif 000011
【図６】
0003164294.tif 000012
【図７】
0003164294.tif 000013
【図８】
0003164294.tif 000014
【図９】
0003164294.tif 000015
【図１０】
0003164294.tif 000016
【図１１】
0003164294.tif 000017
【図１２】
0003164294.tif 000018
【図１３】
0003164294.tif 000019
【図１４】
0003164294.tif 000020
【図１５】
0003164294.tif 000021
【図１６】
0003164294.tif 000022
【図１７】
0003164294.tif 000023
【図１８】
0003164294.tif 000024
【図１９】
0003164294.tif 000025
【図２０】
0003164294.tif 000026
【図２１】
0003164294.tif 000027
【図２１Ａ】
0003164294.tif 000028
【図２２】
0003164294.tif 000029
【図２２Ａ】
0003164294.tif 000030
【図２２Ｂ】
0003164294.tif 000031
【図２２Ｃ】
0003164294.tif 000032
【図２３】
0003164294.tif 000033
【図２３Ａ】
0003164294.tif 000034
【図２３Ｂ】
0003164294.tif 000035
【図２３Ｃ】
0003164294.tif 000036
【図２４】
0003164294.tif 000037
【図２５】
0003164294.tif 000038
【図２６】
0003164294.tif 000039
【図２７】
0003164294.tif 000040
【図２８】
0003164294.tif 000041
【図２９】
0003164294.tif 000042
【図３０】
0003164294.tif 000043
【図３１】
0003164294.tif 000044
【図３２】
0003164294.tif 000045
【図３３】
0003164294.tif 000046
【図３４】
0003164294.tif 000047
【図３５】
0003164294.tif 000048
【図３６】
0003164294.tif 000049
【図３７】
0003164294.tif 000050
【図３８】
0003164294.tif 000051
【図３９】
0003164294.tif 000052
【図４０】
0003164294.tif 000053
【手続補正書】
【提出日】平成22年9月28日(2010.9.28)
【手続補正１】
【補正対象書類名】実用新案登録請求の範囲
【補正対象項目名】全文
【補正方法】変更
【補正の内容】
【実用新案登録請求の範囲】
【請求項１】
（Ａ）横臥している人体の上をまたがって置くことができる柱脚受け台（１）、
（Ｂ）当該柱脚受け台（１）の上面に設けられたバレル（２）であって、
当該バレル（２）の底の中心部分にホール（２１）が設けられ、バレル（２）の側面に２つの通気穴（２３）が設けられると共に、それぞれの通気穴（２３）に向かい合って位置付け溝（２４）が設けられ、そしてバレル（２）の底部のへりに、フランジ（２２）を設けられ、頂部のへりに、位置決め用のリング溝（２５）が設けられ、
（Ｃ）前記バレル（２）の頂部側に緊密に固定された上部バレル（３）であって、
当該上部バレル（３）の底の中心部分にホール（３１）が設けられ、当該ホール（３１）の周辺に２つの位置付けの穴（３２）が設けられる一方、一方の位置付けの穴（３２）とは反対側の内側寄りの位置の排気ガイド穴（３３）と、他方の位置付けの穴（３２）とは反対側の外側寄りの位置の排気ガイド穴（３４）とが設けられ、
（Ｄ）ポンプグループセット（４）であって、
当該ポンプグループセット（４）は、上部バレル（３）の上部に設けられた第1ポンプ（４１）と、バレル（２）の中の底に設けられ、一端が第1ポンプ（４1）の底と接続する第２ポンプ（４２）と、当該第1ポンプ（４１）と第２ポンプ（４２）とを接続するための接続プレート（４３）と、第２ポンプ（４２）の底に設けられている底板（４４）とから構成され、
当該第1ポンプ（４１）と第２ポンプ（４２）は、位置付けプレート（４１１、４２1）と、密封ボード（４１４、４２４）と、位置付けプレート（４１１、４２１）と密封ボード（４１４、４２４）間の伸縮可能な内膜（４１２、４２３）と、内膜（４１２、４２３）の外側に配置された伸縮可能な外膜（４１３、４２２）とから構成され、第1ポンプ（４１）は位置付けプレート（４１１）から内膜（４１２）、外膜（４１３）、密封ボード（４１４）の順に詰め込まれ、第２ポンプ（４２）は位置付けプレート（４２１）から内膜（４２３）、外膜（４２２）密封ボード（４２４）の順に詰め込まれ、
（Ｅ）バレル（２）中のシリンダーセット（５）であって、
当該シリンダーセット（５）は上部シリンダー（５１）と下部シリンダー（５２）とから成り、上部シリンダー（５１）はバレル（２）中の頂部に設けられ、そして第1ポンプ（４１）の外側を取り囲むように設けられ、下部シリンダー（５２）バレル（２）中の底部に設けられ、そして第２ポンプ（４２）の外側を取り囲むように設けられ、また下部シリンダー（５２）に接続し当該下部シリンダー（５２）中の空気を導き出すためのエア配管（５３）を有し、
（Ｆ）ポンプグループセット（４）とシリンダーセット（５）間にその両者の接触を避けるようにパーテーションシリンダー（６）が設けられ、当該パーテーションシリンダー（６）の頂部には、上部バレル（３）と位置付けプレート（４１１）との間に挟持される位置決め用のフランジ（６１）が設けられ、当該フランジ（６1）の一側にバルブガイド穴（６２）が設けられ、反対側に排気ガイド穴（６３）が設けられ、また周縁部の一部にスロット（６４）が設けられ、
（Ｇ）コントロール装置（７）であって、
当該コントロール装置（７）には、上部バレル（３）内の片側と下部シリンダー（５２）に接続し、そしてその中の気体を1角度に回転した後に導き出す第一エアガイドブロック（７１）と、第一エアガイドブロック（７１）とは反対側に設置され、上部シリンダー（５1）と接続し、そしてその中の空気を導き出す第二エアガイドブロック（７２）とが設けられ、
第一エアガイドブロック（７１）、及び上部シリンダー（５1）へ空気を出力して内部の空気を制御することができる第一エアガイドパイプ（７３）が設けられ、
第二エアガイドブロック（７２）、及び下部シリンダー（５２）へ空気を出力して内部の空気を制御しまた、一端が第一エアガイドブロック（７１）と接続する第二エアガイドパイプ（７４）が設けられ、
第一エアガイドパイプ（７３）と第二エアガイドパイプ（７４）の間にパイプ,ギア（７５）が設けられ、
第二エアガイドパイプ（７４）とパイプギア（７５）の間にエアガイド回転車輪（７６）が設けられ、
パイプギア（７５）の一側に、そしてパイプギア（７５）回転のリバウンド止めピース（７７）が設けられ、
パイプ,ギア（７５）の反対側にパイプギア（７５）と垂直に、そしてエアガイド回転車輪（７６）を導いて動かすことができる第一電気伝導ピース（７８）が設けられ、
第一電気伝導ピース（７８）と、当該第一電気伝導ピース（７８）と相対する位置に平行しており、且つパイプギア（７５）からは第一電気伝導ピース（７８）よりも遠く離れて設置されている第二電気伝導ピース（７９）とが設けられ、
（Ｈ）ポンプグループセット（４）とシリンダーセット（５）の両端に片方向転換バルブ（８）が設けられて、ポンプグループセット(４) とシリンダーセット（５）へ進む排気を制御し、
（Ｉ）シャフトは、上記の柱脚受け台（1）、バレル（２）、上部バレル（３）、エアポンプグループセット（４）、シリンダーセット（５）、およびパーテーションシリンダー（６）の中心軸に沿って配置されている圧力軸支柱バー（９）に設けられ、
当該圧力軸支柱バー（９）は、柱脚受け台（１）底側に設けられて、人間の身体に接触する柔軟なバッファプレート（９1）の頂部に取り付けられる底部圧力軸支柱バー（９２）と、ネジで固定した底部圧力軸支柱バー（９２）の上方に設けられる中間部圧力軸支柱バー（９３）と、中間部圧力軸支柱バー（９３）の頂部に設けられたコネクタ継ぎ目（９４）と、コネクタ継ぎ目（９４）の上部に設けられた上部圧力軸支柱バー（９５）と、上部圧力軸支柱バー（９５）の頂部に固定されたプレートとから構成され、
（Ｊ）柱脚受け台（１）下面に固定され人体上に位置付けられるクランプフレーム（１０）、
（Ｋ）上部バレル（３）の上面を閉鎖して位置決めされているトップカバー（１１）、
（Ｌ）トップカバー（１１）中央部分に位置しているインフレータブルハンド（１２）であって、
このインフレータブルハンド（１２）はＴ形を呈して、そして突出した末端（１２１１）があって、そして別の一側は手押さえプレート（９６）と連結したハンドル（１２１）があり、それぞれハンドル（１２１）の底側で設けるスプリング（１２２）であり、ハンドル（１２１）の下部の一側に設けられ、そして、ハンドル（１２１）が跳ね飛ぶのを防ぐためのブロックリング（１２３）が設けられ、ハンドル（１２１）の反対側の下部にあり、そして、エアガイド回転車輪（７６）アクションをコントロールすることができるフックブロック（１２４）とから構成され、
（Ｍ）インフレータブルハンド（１２）前側に、インフレータブルハンド（１２）により駆動され、そしてエアコンの酸素供給装置（１７）と連結して酸素を貯蓄するバルブヘッド（１３）、
（Ｎ）第1のエア伝導ブロック（７１）と第２のエア伝導ブロック（７２）間に固定した息吹き用ヘッド（１４）であって、この息吹き用ヘッド（１４）はＬ形を呈して、上部にある酸素入り口（１４１１）を介して酸素ガイドのバルブヘッド（１３）と接続される混気室（１４１）が設けられ、混気室（１４１）の一側には当該混気室（１４１）と第1のエア伝導ブロック（７１）を連結する左方向導流栓（１４３）が設けられ、混気室（１４１）の他側には混気室（１４１）と第２のエア伝導ブロック（７２）を連結する右方向導流栓（１４４）が、前記左方向導流栓（１４３）とは相対的に設けられ、
（Ｏ）手押さえプレート（９６）上部に位置しているポインティングデバイス（１５）であって、
このポインティングデバイス（１５）は、コントロール装置（７）と、電気コネクタと、下向きに加わる圧力値を表示できるＬＥＤのデジタルディスプレイ（１５１）と、ＬＥＤのデジタルディスプレイ（１５１）の一端に位置し、そして、人間の音声を収集する人体マイク（１５２）と、当該人体マイク（１５２）と電気コネクタを介して接続された録音機器（１５３）とから構成され、
（Ｐ）前記第一エアガイドパイプ（７３）は排気口（７３１）と、当該排気口（７３１）に対して直角の角度に設定された空気取り入れ口（７３２）が設けられ、
前記第二エアガイドパイプ（７４）は排気口（７４１）と、当該排気口（７４１）に対して直角の角度に設定された空気取り入れ口（７４２）が設けられ、
第一エアガイドパイプ（７３）の排気口（７３１）と空気取り入れ口（７３２）とは、パイプギア（７５）の１個分の歯の取り付け角度だけ相違した位置関係に設定され、
前記パイプギア（７５）には所定の数の歯が設定されるように歯切り形成され、またその1部には歯２個分のギャップ（７５１）が設定されており、
前記エアガイド回転車輪（７６）はパイプギア（７５）と相隣りあった関係に設けられ、ギャップ（７５１）の隣りに対応する部位には、パイプギア（７５）の歯と同じ形に歯切り形成された２つのガイドギア（７６１）が設けられており、
以上からなる心肺蘇生救急器（１００）。